【手続補正書】
【提出日】平成26年11月13日(2014.11.13)
【手続補正１】
【補正対象書類名】特許請求の範囲
【補正対象項目名】全文
【補正方法】変更
【補正の内容】
【特許請求の範囲】
【請求項１】
所定の標準符号化方式より多くのビット深度を有する高階調画像データのうちの前記標準符号化方式のビット深度を有すると共に上位ビットに対応する上位ビット符号化ストリームを、前記標準符号化方式で復号して上位ビット画像データを生成する上位ビット復号部と、
前記高階調画像データのうちの残りのビットに対応する下位ビット符号化ストリームを復号して下位ビット画像データを生成する下位ビット復号部と、
前記上位ビット画像データ及び前記下位ビット画像データを合成して前記高階調画像データを再構成する合成部と、
を備える画像処理装置。
【請求項２】
前記標準符号化方式は、ＪＰＥＧ（Joint  Photographic  Experts  Group）方式である、請求項１に記載の画像処理装置。
【請求項３】
前記下位ビット復号部は、前記下位ビット符号化ストリームをＪＰＥＧ方式で復号する、請求項２に記載の画像処理装置。
【請求項４】
前記下位ビット復号部は、前記下位ビット復号部によりサポートされる所定のビット深度へ拡張されたビット深度を有する前記下位ビット符号化ストリームを復号し、
前記画像処理装置は、前記下位ビット復号部により生成された前記下位ビット画像データのビット深度を前記残りのビットに合わせて削減する下位ビット処理部、をさらに備える、
請求項１〜３のいずれか１項に記載の画像処理装置。
【請求項５】
前記下位ビット処理部は、前記下位ビット画像データの各画素値を、ビット深度の拡張量に応じた数で除算して丸めることにより、前記下位ビット画像データのビット深度を削減する、請求項４に記載の画像処理装置。
【請求項６】
前記上位ビット符号化ストリームのヘッダ領域に挿入されるパラメータを用いて、前記下位ビット符号化ストリームを取得する取得部、をさらに備える、請求項１〜５のいずれか１項に記載の画像処理装置。
【請求項７】
前記合成部により再構成された前記高階調画像データを用いて高階調画像を表示装置に表示させる制御部、をさらに備える、請求項１〜６のいずれか１項に記載の画像処理装置。
【請求項８】
前記合成部により再構成された前記高階調画像データを記憶媒体に記憶させる制御部、をさらに備える、請求項１〜７のいずれか１項に記載の画像処理装置。
【請求項９】
所定の標準符号化方式より多くのビット深度を有する高階調画像データを、前記標準符号化方式のビット深度を有すると共に上位ビットに対応する上位ビット画像データ及び残りのビットに対応する下位ビット画像データに分割する分割部と、
前記上位ビット画像データを前記標準符号化方式で符号化して上位ビット符号化ストリームを生成する上位ビット符号化部と、
前記下位ビット画像データを符号化して下位ビット符号化ストリームを生成する下位ビット符号化部と、
前記下位ビット符号化ストリームを前記上位ビット符号化ストリームに関連付ける関連付け部と、
を備える画像処理装置。
【請求項１０】
前記標準符号化方式は、ＪＰＥＧ（Joint  Photographic  Experts  Group）方式である、請求項９に記載の画像処理装置。
【請求項１１】
前記下位ビット符号化部は、前記下位ビット画像データをＪＰＥＧ方式で符号化する、請求項１０に記載の画像処理装置。
【請求項１２】
前記下位ビット画像データのビット深度を前記下位ビット符号化部によりサポートされる所定のビット深度へ拡張する下位ビット処理部、をさらに備え、
前記下位ビット符号化部は、前記下位ビット処理部により拡張されたビット深度を有する前記下位ビット画像データを符号化する、
請求項９〜１１のいずれか１項に記載の画像処理装置。
【請求項１３】
前記下位ビット処理部は、前記下位ビット画像データの各画素値に、ビット深度の拡張量に応じた数を乗算し、さらにオフセット値を加算することにより、前記下位ビット画像データのビット深度を拡張する、請求項１２に記載の画像処理装置。
【請求項１４】
前記下位ビット処理部は、前記上位ビット画像データ又は前記高階調画像データにおいて高周波成分が強い値を示す画素位置の前記下位ビット画像データの画素値を、一定の値に置換する、請求項１２又は請求項１３に記載の画像処理装置。
【請求項１５】
前記下位ビット処理部は、前記上位ビット画像データ又は前記高階調画像データにおいて画素値レンジの中央部分に属する画素位置の前記下位ビット画像データの画素値を、一定の値に置換する、請求項１２〜１４のいずれか１項に記載の画像処理装置。
【請求項１６】
前記一定の値は、前記下位ビット画像データの画素値レンジの中央の値である、請求項１４又は請求項１５に記載の画像処理装置。
【請求項１７】
前記関連付け部は、前記下位ビット符号化ストリームにアクセスするためのパラメータを前記上位ビット符号化ストリームのヘッダ領域に挿入する、請求項９〜１６のいずれか１項に記載の画像処理装置。
【請求項１８】
前記高階調画像データは、ＲＡＷ画像データを現像することにより生成された画像データである、請求項１〜１７のいずれか１項に記載の画像処理装置。
【請求項１９】
前記ＲＡＷ画像データを生成するイメージセンサ、をさらに備える、請求項１８に記載の画像処理装置。
【請求項２０】
他の装置又は記憶媒体から前記ＲＡＷ画像データを取得するＲＡＷ画像取得部、をさらに備える、請求項１８に記載の画像処理装置。
【請求項２１】
画像処理装置により実行される画像処理方法であって、
所定の標準符号化方式より多くのビット深度を有する高階調画像データのうちの前記標準符号化方式のビット深度を有すると共に上位ビットに対応する上位ビット符号化ストリームを、前記標準符号化方式で復号して上位ビット画像データを生成することと、
前記高階調画像データのうちの残りのビットに対応する下位ビット符号化ストリームを復号して下位ビット画像データを生成することと、
前記上位ビット画像データ及び前記下位ビット画像データを合成して前記高階調画像データを再構成することと、
を含む画像処理方法。
【請求項２２】
前記下位ビット符号化ストリームは、復号のためにサポートされる所定のビット深度へ拡張されたビット深度を有し、
前記画像処理方法は、生成された前記下位ビット画像データのビット深度を前記残りのビットに合わせて削減すること、をさらに含む、
請求項２１に記載の画像処理方法。
【請求項２３】
前記下位ビット画像データのビット深度は、前記下位ビット画像データの各画素値を、ビット深度の拡張量に応じた数で除算して丸めることにより削減される、請求項２２に記載の画像処理方法。
【請求項２４】
前記上位ビット符号化ストリームのヘッダ領域に挿入されるパラメータを用いて、前記下位ビット符号化ストリームを取得すること、をさらに含む、請求項２１〜２３のいずれか１項に記載の画像処理方法。
【請求項２５】
画像処理装置により実行される画像処理方法であって、
所定の標準符号化方式より多くのビット深度を有する高階調画像データを、前記標準符号化方式のビット深度を有すると共に上位ビットに対応する上位ビット画像データ及び残りのビットに対応する下位ビット画像データに分割することと、
前記上位ビット画像データを前記標準符号化方式で符号化して上位ビット符号化ストリームを生成することと、
前記下位ビット画像データを符号化して下位ビット符号化ストリームを生成することと、
前記下位ビット符号化ストリームを前記上位ビット符号化ストリームに関連付けることと、
を含む画像処理方法。
【請求項２６】
前記下位ビット画像データのビット深度を符号化のためにサポートされる所定のビット深度へ拡張すること、をさらに含み、
前記下位ビット画像データは、拡張された前記ビット深度で符号化される、
請求項２５に記載の画像処理方法。
【請求項２７】
前記下位ビット画像データのビット深度は、前記下位ビット画像データの各画素値に、ビット深度の拡張量に応じた数を乗算し、さらにオフセット値を加算することにより拡張される、請求項２６に記載の画像処理方法。
【請求項２８】
前記上位ビット画像データ又は前記高階調画像データにおいて高周波成分が強い値を示す画素位置の前記下位ビット画像データの画素値は、一定の値に置換される、請求項２６又は請求項２７に記載の画像処理方法。
【請求項２９】
前記上位ビット画像データ又は前記高階調画像データにおいて画素値レンジの中央部分に属する画素位置の前記下位ビット画像データの画素値は、一定の値に置換される、請求項２６〜２８のいずれか１項に記載の画像処理方法。
【請求項３０】
前記一定の値は、前記下位ビット画像データの画素値レンジの中央の値である、請求項２８又は請求項２９に記載の画像処理方法。
【請求項３１】
前記下位ビット符号化ストリームは、前記下位ビット符号化ストリームにアクセスするためのパラメータを前記上位ビット符号化ストリームのヘッダ領域に挿入することにより、前記上位ビット符号化ストリームに関連付けられる、請求項２５〜３０のいずれか１項に記載の画像処理方法。
【請求項３２】
コンピュータを、
所定の標準符号化方式より多くのビット深度を有する高階調画像データのうちの前記標準符号化方式のビット深度を有すると共に上位ビットに対応する上位ビット符号化ストリームを、前記標準符号化方式で復号して上位ビット画像データを生成する上位ビット復号部と、
前記高階調画像データのうちの残りのビットに対応する下位ビット符号化ストリームを復号して下位ビット画像データを生成する下位ビット復号部と、
前記上位ビット画像データ及び前記下位ビット画像データを合成して前記高階調画像データを再構成する合成部と、
として機能させるためのプログラム。
【請求項３３】
前記下位ビット復号部は、前記下位ビット復号部によりサポートされる所定のビット深度へ拡張されたビット深度を有する前記下位ビット符号化ストリームを復号し、
前記プログラムは、前記コンピュータを、前記下位ビット復号部により生成された前記下位ビット画像データのビット深度を前記残りのビットに合わせて削減する下位ビット処理部、としてさらに機能させる、
請求項３２に記載のプログラム。
【請求項３４】
前記下位ビット処理部は、前記下位ビット画像データの各画素値を、ビット深度の拡張量に応じた数で除算して丸めることにより、前記下位ビット画像データのビット深度を削減する、請求項３３に記載のプログラム。
【請求項３５】
コンピュータを、
所定の標準符号化方式より多くのビット深度を有する高階調画像データを、前記標準符号化方式のビット深度を有すると共に上位ビットに対応する上位ビット画像データ及び残りのビットに対応する下位ビット画像データに分割する分割部と、
前記上位ビット画像データを前記標準符号化方式で符号化して上位ビット符号化ストリームを生成する上位ビット符号化部と、
前記下位ビット画像データを符号化して下位ビット符号化ストリームを生成する下位ビット符号化部と、
前記下位ビット符号化ストリームを前記上位ビット符号化ストリームに関連付ける関連付け部と、
として機能させるためのプログラム。
【請求項３６】
前記コンピュータを、前記下位ビット画像データのビット深度を前記下位ビット符号化部によりサポートされる所定のビット深度へ拡張する下位ビット処理部、としてさらに機能させ、
前記下位ビット符号化部は、前記下位ビット処理部により拡張されたビット深度を有する前記下位ビット画像データを符号化する、
請求項３５に記載のプログラム。
【請求項３７】
前記下位ビット処理部は、前記下位ビット画像データの各画素値に、ビット深度の拡張量に応じた数を乗算し、さらにオフセット値を加算することにより、前記下位ビット画像データのビット深度を拡張する、請求項３６に記載のプログラム。
【請求項３８】
前記下位ビット処理部は、前記上位ビット画像データ又は前記高階調画像データにおいて高周波成分が強い値を示す画素位置の前記下位ビット画像データの画素値を、一定の値に置換する、請求項３６又は請求項３７に記載のプログラム。
【請求項３９】
前記下位ビット処理部は、前記上位ビット画像データ又は前記高階調画像データにおいて画素値レンジの中央部分に属する画素位置の前記下位ビット画像データの画素値を、一定の値に置換する、請求項３６〜３８のいずれか１項に記載のプログラム。
【請求項４０】
前記一定の値は、前記下位ビット画像データの画素値レンジの中央の値である、請求項３８又は請求項３９に記載のプログラム。
【請求項４１】
前記関連付け部は、前記下位ビット符号化ストリームにアクセスするためのパラメータを前記上位ビット符号化ストリームのヘッダ領域に挿入する、請求項３５〜４０のいずれか１項に記載のプログラム。
【手続補正２】
【補正対象書類名】明細書
【補正対象項目名】発明の名称
【補正方法】変更
【補正の内容】
【発明の名称】画像処理装置、画像処理方法及びプログラム
【手続補正３】
【補正対象書類名】明細書
【補正対象項目名】０００８
【補正方法】変更
【補正の内容】
【０００８】
本開示のある観点によれば、所定の標準符号化方式より多くのビット深度を有する高階調画像データのうちの前記標準符号化方式のビット深度を有すると共に上位ビットに対応する上位ビット符号化ストリームを、前記標準符号化方式で復号して上位ビット画像データを生成する上位ビット復号部と、前記高階調画像データのうちの残りのビットに対応する下位ビット符号化ストリームを復号して下位ビット画像データを生成する下位ビット復号部と、前記上位ビット画像データ及び前記下位ビット画像データを合成して前記高階調画像データを再構成する合成部と、を備える画像処理装置が提供される。
また、本開示の別の観点によれば、所定の標準符号化方式より多くのビット深度を有する高階調画像データを、前記標準符号化方式のビット深度を有すると共に上位ビットに対応する上位ビット画像データ及び残りのビットに対応する下位ビット画像データに分割する分割部と、前記上位ビット画像データを前記標準符号化方式で符号化して上位ビット符号化ストリームを生成する上位ビット符号化部と、前記下位ビット画像データを符号化して下位ビット符号化ストリームを生成する下位ビット符号化部と、前記下位ビット符号化ストリームを前記上位ビット符号化ストリームに関連付ける関連付け部と、を備える画像処理装置が提供される。
【手続補正４】
【補正対象書類名】明細書
【補正対象項目名】０００９
【補正方法】変更
【補正の内容】
【０００９】
また、本開示のある観点によれば、画像処理装置により実行される画像処理方法であって、所定の標準符号化方式より多くのビット深度を有する高階調画像データのうちの前記標準符号化方式のビット深度を有すると共に上位ビットに対応する上位ビット符号化ストリームを、前記標準符号化方式で復号して上位ビット画像データを生成することと、前記高階調画像データのうちの残りのビットに対応する下位ビット符号化ストリームを復号して下位ビット画像データを生成することと、前記上位ビット画像データ及び前記下位ビット画像データを合成して前記高階調画像データを再構成することと、を含む画像処理方法が提供される。
また、本開示の別の観点によれば、画像処理装置により実行される画像処理方法であって、所定の標準符号化方式より多くのビット深度を有する高階調画像データを、前記標準符号化方式のビット深度を有すると共に上位ビットに対応する上位ビット画像データ及び残りのビットに対応する下位ビット画像データに分割することと、前記上位ビット画像データを前記標準符号化方式で符号化して上位ビット符号化ストリームを生成することと、前記下位ビット画像データを符号化して下位ビット符号化ストリームを生成することと、前記下位ビット符号化ストリームを前記上位ビット符号化ストリームに関連付けることと、を含む画像処理方法が提供される。
【手続補正５】
【補正対象書類名】明細書
【補正対象項目名】００１０
【補正方法】変更
【補正の内容】
【００１０】
また、本開示のある観点によれば、コンピュータを、所定の標準符号化方式より多くのビット深度を有する高階調画像データのうちの前記標準符号化方式のビット深度を有すると共に上位ビットに対応する上位ビット符号化ストリームを、前記標準符号化方式で復号して上位ビット画像データを生成する上位ビット復号部と、前記高階調画像データのうちの残りのビットに対応する下位ビット符号化ストリームを復号して下位ビット画像データを生成する下位ビット復号部と、前記上位ビット画像データ及び前記下位ビット画像データを合成して前記高階調画像データを再構成する合成部と、として機能させるためのプログラムが提供される。
また、本開示の別の観点によれば、コンピュータを、所定の標準符号化方式より多くのビット深度を有する高階調画像データを、前記標準符号化方式のビット深度を有すると共に上位ビットに対応する上位ビット画像データ及び残りのビットに対応する下位ビット画像データに分割する分割部と、前記上位ビット画像データを前記標準符号化方式で符号化して上位ビット符号化ストリームを生成する上位ビット符号化部と、前記下位ビット画像データを符号化して下位ビット符号化ストリームを生成する下位ビット符号化部と、前記下位ビット符号化ストリームを前記上位ビット符号化ストリームに関連付ける関連付け部と、として機能させるためのプログラムが提供される。